(57)【要約】【課題】残飯を完全に捨てることができ、悪臭の大気への発散を防止できる残飯処理機を提供する。【解決手段】内部に収容空間１１が設けられ、上方に上開口１２が設けられ、前方に前開口１３が設けられる本体１０と、その後ろの左右側が前記本体１０に枢着され、前記上開口１２を閉塞可能である上蓋４０と、前記収容空間１１に組み付けられ、その左右壁が前記本体１０に枢着され、その内部に攪拌刃２３が枢着され、前記攪拌刃２３が、動力源に駆動されて回転可能である処理槽２０と、前記本体１０の前開口１３に脱着可能な前蓋５０と、を含む。【選択図】図２
0003167977.tif 000002
【実用新案登録請求の範囲】
【請求項１】
内部に収容空間（１１）が設けられ、上方に上開口（１２）が設けられ、前方に前開口（１３）が設けられる本体（１０）と、
その後ろの左右側が前記本体（１０）に枢着され、前記上開口（１２）を閉塞可能である上蓋（４０）と、
前記収容空間（１１）に組み付けられ、その左右壁が前記本体（１０）に枢着され、その内部に攪拌刃（２３）が枢着され、前記攪拌刃（２３）が、動力源によって駆動されて回転可能である処理槽（２０）と、
前記本体（１０）の前記前開口（１３）に脱着可能な前蓋（５０）と、
を含むことを特徴とする残飯処理機。
【請求項２】
前記処理槽（２０）は、断面形状がＵ字形を呈し、その後ろ方に一の磁石式留め具（２２）が設けられ、前記本体（１０）の後ろ壁に他の磁石式留め具（１５）が設けられ、前記一の磁石式留め具（２２）と前記他の磁石式留め具（１５）は互いに吸着可能であり、前記本体（１０）の上部にボタン（１９）が複数設けられ、複数の前記ボタン（１９）のうちの一つは、前記他の磁石式留め具（１５）の電磁吸着力の有無を制御可能であることを特徴とする、請求項１に記載の残飯処理機。
【請求項３】
前記本体（１０）の後ろ壁には、換気扇（１４）と、エア排出口（１８）と、が設けられ、前記換気扇（１４）の前方に空気吸込み口（１４１）が設けられ、前記空気吸込み口（１４１）が前記処理槽（２０）の通気口（２１）に対向し、前記換気扇（１４）に空気排出口（１４２）が設けられ、前記空気排出口（１４２）が前記空気吸込み口（１４１）と連通し、前記本体（１０）は、更に、空気フィルタ（３０）を含み、前記空気フィルタ（３０）は、チューブであり、上端と下端とを有し、その内部にフィルタ（３２）が設けられ、前記空気フィルタ（３０）の上端が前記空気排出口（１４２）と接続し、前記空気フィルタ（３０）の下端にマスク（３３）が設けられ、前記マスク（３３）の上部に開口（３３１）が設けられ、前記開口（３３１）が前記空気フィルタ（３０）の下端と接続し、前記マスク（３３）の一側に出口（３３２）が設けられ、前記マスク（３３）が前記本体（１０）の後ろ壁の内側に固定され、前記マスク（３３）の前記出口（３３２）が前記エア排出口（１８）に対向することを特徴とする、請求項１に記載の残飯処理機。
【考案の詳細な説明】
【技術分野】
【０００１】
本考案は、残飯処理機に関し、特に、残飯を完全に捨てることができ、悪臭の大気への発散を防止できる残飯処理機に関するものである。
【背景技術】
【０００２】
ゴミの出所を分析すると、残飯がゴミ量の大分を占めるため、残飯を充分に利用することにより、ゴミ量を大幅に減少することができ、環境への汚染を低減することもできる。現在、回収される残飯が堆肥の用途に利用されるため、市販されている残飯処理機の多くは、モータに駆動される攪拌器により、残飯処理機の本体に入れられる、野菜の屑、果物の皮及び食べ残しを攪拌しながら粉砕するものである。粉砕された残飯は、一定時間を経た後、リサイクル会社に渡されて、堆肥が作られる。なお、残飯を長時間に保存するときには、残飯の発酵による悪臭が大気に発散される問題があった。
【０００３】
従来の残飯処理機の処理槽は、残飯処理機の内部に固定され、残飯を収容するものであり、その開口が上に向いているため、前記処理槽を逆立ちして、収容される残飯を完全に捨てることができず、道具により残飯を掘り出すことが必要であるため、作業速度が遅く、残飯を完全に掘り出すことができず、そして残飯の発酵による悪臭が大気に発散して空気を汚染する問題があった。
【考案の概要】
【考案が解決しようとする課題】
【０００４】
本考案の主な目的は、残飯を完全に捨てることができ、悪臭の大気への発散を防止できる残飯処理機を提供することにある。
【課題を解決するための手段】
【０００５】
本考案の残飯処理機によると、内部に収容空間が設けられ、上方に上開口が設けられ、前方に前開口が設けられる本体と、
その後ろの左右側が前記本体に枢着され、前記上開口を閉塞可能である上蓋と、
前記収容空間に組み付けられ、その左右壁が前記本体に枢着され、その内部に攪拌刃が枢着され、前記攪拌刃が動力源によって駆動されて回転可能である処理槽と、
前記本体の前開口に脱着可能な前蓋と、
を含むことを特徴とする。
【０００６】
本考案の残飯処理機によると、前記処理槽は、断面形状がＵ字形を呈し、その後ろ方に一の磁石式留め具が設けられ、前記本体の後ろ壁に他の磁石式留め具が設けられ、前記一の磁石式留め具と前記他の磁石式留め具は互いに吸着可能であり、前記本体の上部にボタンが複数設けられ、複数の前記ボタンのうちの一つは、前記他の磁石式留め具の電磁吸着力の有無を制御可能であることを特徴とする。
【０００７】
本考案の残飯処理機によると、前記本体の後ろ壁には、換気扇と、エア排出口と、が設けられ、前記換気扇の前方に空気吸込み口が設けられ、前記空気吸込み口が前記処理槽の通気口に対向し、前記換気扇に空気排出口が設けられ、前記空気排出口が前記空気吸込み口と連通し、前記本体は、更に、空気フィルタを含み、前記空気フィルタは、チューブであり、上端と下端とを有し、その内部にフィルタが設けられ、前記空気フィルタの上端が前記空気排出口と接続し、前記空気フィルタの下端にマスクが設けられ、前記マスクの上部に開口が設けられ、前記開口が前記空気フィルタの下端と接続し、前記マスクの一側に出口が設けられ、前記マスクが前記本体の後ろ壁の内側に固定され、前記マスクの前記出口が前記エア排出口に対向することを特徴とする。
【考案の効果】
【０００８】
本考案の残飯処理機によれば、次のような効果がある。
（１）本体の前蓋が脱着可能であり、処理槽は、断面形状がＵ字形を呈し、開口が上に向いているため、前記開口が回動して前に傾斜でき、前記処理槽内の残飯を快速に捨てることができ、省力化することができ、そしてユーザの顔は悪臭を発散する残飯と面する必要がない。
【０００９】
（２）上蓋の底部に磁石式留め具が設けられ、前記磁石式留め具が前記本体の上部の一側にある安全留め具に吸着されるため、前記上蓋が前記本体の上部の上開口を緊密に閉塞することができ、そうすると、ゴキブリや蟻が前記本体の内部に侵入できない。また、攪拌刃が残飯を粉砕しているときに、ユーザの安全を確保できる。
【００１０】
（３）前記本体の正面の左右には、回動可能な留め具がそれぞれ設けられ、二つの前記留め具により前記処理槽の前方への傾斜を止めることが可能である。且つ前記処理槽の後ろ壁に磁石式留め具が設けられている。前記本体の後ろ壁の内側においても別の磁石式留め具が設けられ、前記本体の磁石式留め具が前記本体の上部にあるボタンと電気的に連接し、前記ボタンを押圧して前記本体の磁石式留め具が磁力を発生すると、前記処理槽の後ろ壁に設けられる磁石式留め具が吸着され、そうすると、前記処理槽を定位することができる。
【００１１】
（４）前記本体の後ろ壁に換気扇が設けられ、前記換気扇により前記処理槽の悪臭を排出することができ、且つ前記換気扇が空気フィルタと接続し、前記空気フィルタが活性炭素を有するため、大気に排出される空気は悪臭を有しない。
【図面の簡単な説明】
【００１２】
【図１】本考案の一実施例を示す斜視図である。
【図２】本考案の一実施例を示す分解斜視図である。
【図３】本考案の一実施例の動作を示す斜視図である。
【図４】本考案の攪拌刃を示す上面図である。
【図５】本考案の空気フィルタ、換気扇及びマスクを示す斜視図である。
【図６】本考案の空気フィルタ及び換気扇の一部の断面図である。
【考案を実施するための形態】
【００１３】
以下、本考案の実施の形態を図面に基づいて説明する。
まず、図１乃至図３を参照する。図１は本考案の一実施例を示す斜視図であり、図２は本考案の一実施例を示す分解斜視図であり、図３は本考案の一実施例の動作を示す斜視図である。本考案の残飯処理機は、本体１０と、処理槽２０と、空気フィルタ３０と、上蓋４０と、前蓋５０と、を含む。
【００１４】
本体１０は、その上方に上開口１２が設けられ、本体１０の前方には前開口１３が設けられ、本体１０の内部には収容空間１１が設けられている。本体１０の後ろ壁の内側には、換気扇１４と、磁石式留め具１５と、が設けられ、本体１０の前方の左右の内壁には留め具１６がそれぞれ枢着され、本体１０の上部の一側の内壁には安全留め具１７が組み付けられている。本体１０の後ろ壁の下方にはエア排出口１８が設けられ、本体１０の上面にはボタン１９が複数設けられ、ボタン１９を押圧することにより本体１０を開閉することができる。
【００１５】
換気扇１４の一側に空気吸込み口１４１が設けられ、空気吸込み口１４１が本体１０の内部に向いており、空気吸込み口１４１により本体１０内の空気が抜き出される。図５は、本考案の空気フィルタ、換気扇及びマスクを示す斜視図である。換気扇１４の底部に空気排出口１４２が設けられ、図５に示すように、空気排出口１４２が空気吸込み口１４１と連通する。
【００１６】
処理槽２０は、断面形状がＵ字形を呈し、開口が上に向いており、収容空間１１に組み付けられ、その左右側が本体１０に枢着され、これにより、前記開口を傾斜することができる。処理槽２０の後ろ方には、通気口２１と、磁石式留め具２２と、が設けられ、通気口２１が換気扇１４の空気吸込み口１４１に対応し、磁石式留め具２２は本体１０の後ろ壁に設けられる磁石式留め具１５に吸着されることができる。処理槽２０の内部に攪拌刃２３が配される。図４は本考案の攪拌刃を示す上面図である。図３に示すように、攪拌刃２３は、処理槽２０に枢着され、動力源（図示せず）に駆動されて回転可能であり、残飯を粉砕することができる。
【００１７】
図６は本考案の空気フィルタ及び換気扇の一部の断面図である。空気フィルタ３０は、図５及び図６に示すように、チューブであり、上端と下端とを有し、その内部にフィルタ３２が設けられ、空気フィルタ３０の上端が空気排出口１４２と接続し、空気フィルタ３０の下端にマスク３３が設けられる。マスク３３の上部に開口３３１が設けられ、開口３３１が空気フィルタ３０の下端と接続する。マスク３３の一側に出口３３２が設けられ、マスク３３が本体１０の後ろ壁の内側に固定され、マスク３３の出口３３２がエア排出口１８に対向する。
【００１８】
上蓋４０は、その後ろの左右側が本体１０に枢着されて開閉可能であり、上開口１２を閉塞可能である。上蓋４０の底部に磁石式留め具４１が設けられ、磁石式留め具４１は本体１０の安全留め具１７に吸着されることができる。
【００１９】
前蓋５０は、本体１０の前開口１３に着脱可能である。
【００２０】
次に、本考案の残飯処理機の使用方法を説明する。まず、処理槽２０に残飯を入れて、攪拌刃２３を回転して残飯を粉砕し、残飯の量が一定になって取り出したいときには、本体１０の上部にあるボタン１９を押圧することにより、安全留め具１７の磁力が無くなって、上蓋４０を開けることができる。また、前蓋５０を取り外して、本体１０の前方にある二つの留め具１６を回転することにより、処理槽２０の定位が解除される。このとき、本体１０の上部の別のボタン１９を押圧することにより、磁石式留め具１５の磁力の有無を切替えることができ、磁石式留め具１５の磁力を無くしたときには、磁石式留め具１５の処理槽２０の磁石式留め具２２に対する吸着が解除され、そうすると、処理槽２０を傾斜して残飯を完全に取り出すことができる。これにより、道具により残飯を掘り出すことが必要なくなり、処理槽内の残飯を快速に捨てることができ、省力化することができ、そしてユーザの顔は悪臭を発散する残飯に面する必要がない。
【００２１】
また、上蓋４０の底部にある磁石式留め具４１は、本体１０の上部の一側にある安全留め具１７を吸着できるため、上蓋４０が本体１０の上開口１２を緊密に閉塞することができ、そうすると、ゴキブリや蟻が本体１０の内部に侵入できず、そして攪拌刃２３が残飯を粉砕しているときには、上蓋４０を開けることが不能となるため、ユーザの安全を確保できる。
【００２２】
また、処理槽２０が鉛直姿勢に戻った後、本体１０の前方の左右壁にある二つの留め具１６を内側に回動させることにより、二つの留め具１６が処理槽２０の前壁に当接して処理槽２０の前方への傾斜が不能となり、且つ処理槽２０の後ろ壁に磁石式留め具２２が設けられ、磁石式留め具２２は本体１０の後ろ壁の裏面にある磁石式留め具１５に吸着されることができ、これにより、処理槽２０を定位することができ、残飯と面する必要がない。
【００２３】
特に、本体１０の後ろ方に換気扇１４が設けられ、換気扇１４により本体１０内の残飯からの悪臭を排出することができ、且つ換気扇１４が空気フィルタ３０と接続し、空気フィルタ３０には、活性炭素を有するフィルタ３２が設けられるため、空気フィルタ３０を経由して大気に排出される空気は悪臭を有しない。
【産業上の利用可能性】
【００２４】
本考案は、残飯処理機に適用することができる。
【符号の説明】
【００２５】
１０    本体
１１    収容空間
１２    上開口
１３    前開口
１４    換気扇
１５    磁石式留め具
１６    留め具
１７    安全留め具
１８    エア排出口
１９    ボタン
２０    処理槽
２１    通気口
２２    磁石式留め具
２３    攪拌刃
３０    空気フィルタ
３２    フィルタ
３３    マスク
４０    上蓋
４１    磁石式留め具
５０    前蓋
１４１  空気吸込み口
１４２  空気排出口
３３１  開口
３３２  出口
【図１】
0003167977.tif 000003
【図２】
0003167977.tif 000004
【図３】
0003167977.tif 000005
【図４】
0003167977.tif 000006
【図５】
0003167977.tif 000007
【図６】
0003167977.tif 000008